(57)【要約】【課題】デジタル印刷後の処理機構を短小にし、かつ、良好な紙の重なり状態を極めて容易に得られるようにした、新聞製作装置を提供する。【解決手段】この新聞製作装置１は、連続紙Ｗ１を供給する給紙ユニット１１と、インクジェット印刷ユニット１３、１４と、印刷後の連続紙を切断して折り畳む折りユニット１６とを有しており、折りユニット１６が、外周面に紙を保持する保持機構Ｊ２と、保持した紙を半径方向外側に突き出す折り刃機構Ｊ３と、を有する折り胴Ｊを備えた回転折りユニット１６として構成されている。また、この回転折りユニット１６は、保持機構Ｊ２で保持した紙を折り胴Ｊの複数回転毎に折り畳むコレクトランが可能となっている。【選択図】図１
2011157168.tif 000002
【特許請求の範囲】
【請求項１】
連続紙を供給する給紙ユニットと、
インクジェット印刷ユニットと、
印刷後の連続紙を切断して折り畳む折りユニットと、
を有する新聞製作装置において、
前記折りユニットが、外周面に紙を保持する保持機構と、保持した紙を半径方向外側に突き出す折り刃機構と、を有する折り胴を備えた回転折りユニットであることを特徴とする新聞製作装置。
【請求項２】
請求項１に記載の新聞製作装置において、
前記回転折りユニットは、前記保持機構で保持した紙を前記折り胴の複数回転毎に折り畳むコレクトランが可能であることを特徴とする新聞製作装置。
【請求項３】
請求項１又は２に記載の新聞製作装置において、
前記インクジェット印刷ユニットの下流側に、連続紙を連続方向に沿って切断するスリッター機構と、切断した連続紙を重ね合わせる重ね合わせ機構と、を備えたことを特徴とする新聞製作装置。
【請求項４】
請求項３に記載の新聞製作装置において、
前記スリッター機構と前記重ね合わせ機構とが、前記折りユニットに設けられたことを特徴とする新聞製作装置。
【発明の詳細な説明】
【技術分野】
【０００１】
本発明は、連続紙にインクジェット印刷し、切断し、折り畳んで新聞を製作する新聞製作装置に関する。
【背景技術】
【０００２】
代表的なマスコミュニケーション媒体である新聞は、政治、経済、文芸、スポーツ、趣味、娯楽等各分野を網羅する内容を多数ページに印刷し、大量発行によってその使命を果たしてきた。ところが近年、多数ページ大量発行に代えて、内容を前記分野ごとにしぼった新聞や、限られた地域、世代、職業等の読者を対象とした新聞、あるいはこの両者の性格を併せもった新聞等、読者の細かい嗜好に対応させた新聞の要望が高くなった。そして、これに対応する新聞製作手段として、刷版を使用しないデジタル印刷、例えば、インクジェット印刷による新聞製作装置が、下記特許文献１〜４によって提案されている。
【０００３】
特許文献１に開示される新聞製作は、（１）インクジェット印刷等のデジタル印刷された枚葉紙又はデジタル印刷された連続紙を切断した枚葉紙を、コンベヤー上から把持装置又は吸盤等である受取要素によって１つずつ受取り、連続的に収集ステーションに搬入し、（２）この収集ステーションで上下に重ね、（３）所定数の枚葉紙を重ね合わせた積重ね体をこの収集ステーションから搬出し、（４）積重ね体を搬出した収集ステーションには、引き続いて後続の印刷された枚葉紙を１つずつ連続的に搬入し、（５）前記収集ステーションから搬出した積重ね体を、折り畳みステーションに搬入し、（６）折り畳みステーションで折り畳んだ後、この折り畳みステーションから送出すよう構成され、前記（１）〜（６）が各ステーションで連続的に行われるものである。
【０００４】
特許文献２に開示される新聞製作は、特許文献１に開示されるものと略同等である。詳細には、印刷された連続紙が乾燥された後に連続方向と平行に２分割されることを開示する点及び前記（１）、（２）のステップにおいて、収集ステーションに間欠回転する羽根車機構を配し、デジタル印刷された連続紙を切断した枚葉紙を、水平に維持した前記羽根車の羽根に向けて放出し積重ね体を形成するもの、あるいは、円周方向に多数の羽根を配した連続回転羽根車の各羽根間に、デジタル印刷後の連続紙を切断して形成した枚葉紙を順次挿入し、更に邪魔板によって当該枚葉紙を各羽根間からコンベヤー上に落下させて積重ね体を形成するものを開示する点において特許文献１のものと相違している。
【０００５】
特許文献３に開示される新聞製作は、連続紙に印刷するデジタル印刷システム、連続紙の不要な側縁部を裁断する側縁裁断ステーション、連続紙を縦方向（連続方向と平行）に裁断する縦方向裁断ステーション、連続紙を横（連続方向と直角）に裁断して枚葉紙として分離する横裁断ステーション、分離した枚葉紙のうち不良印刷部や破損部等の不合格品を処理経路から取り除く除去装置、前記枚葉紙を重ねる収集ステーション、収集ステーションで重ねた枚葉紙の積重ね体を横折り曲げステーションに搬送する搬送装置、搬送装置で搬送された前記積重ね体を搬送方向に対し横断方向に折る横折り曲げステーション、積重ね体を搬送方向に折る縦方向折り曲げステーション、折り曲げられた積重ね体を折り曲げ縁部に沿って綴じる綴じステーション、積重ね体が折り曲げられて又は積重ね体が折り曲げられ綴じられた折り丁を互いに挿入する第２収集ステーション、完成した新聞を配送する配送ステーションを上流側から順に並べて設けるとともに、製作する新聞の構成及び様式に応じて不要のステーションを非動作状態にすることによって、構成、様式に関して互いに異なる様々な種類の新聞の製作を、連続的な製作工程を中断することなくなし得るものである。
【０００６】
なお、特許文献３では、欧州特許の公開番号を示すことにより、前記集積ステーションとして、軸心と平行に整列された複数対の爪が設けられ、各対において２つの爪が交互に、外周面との間に枚葉紙を挟んでこれを保持することによって、枚葉紙を外周面上で重ねる回転胴機構が示唆されている。また、同様に欧州特許の公開番号を示すことにより、前記横折り曲げステーションと縦方向折り曲げステーションのいずれか一方又は双方の折り曲げステーションとして、供給面、供給面と平行かつ互いに平行な軸線を有する一対の初期折り曲げローラー、供給面と直角な軸線を有するとともに初期折り曲げローラーの上方に設けられた少なくとも一対の移動ローラー、前記初期折り曲げローラーの軸線と平行に配された折りブレードである直線ナイフのそれぞれを少なくとも備え、供給面に水平に置かれて送り込まれた枚葉紙積重ね体を、直線ナイフによって折り目とする部位を上方に突き上げて初期折り曲げローラー対の間に供給し、２つの初期折り曲げローラーが突き上げられた枚葉紙積重ね体を挟んで軸線周りに回転して、完全でない折り目を形成しつつ、その上方に配された少なくとも一対の移動ローラーに送出し、少なくとも一対の移動ローラーが前記折り目を挟んで回転し、完全な折り目を形成しつつ枚葉紙積重ね体を初期折り曲げローラーの軸線と平行に送出す機構が示唆されている。
【０００７】
特許文献４に開示される新聞製作は、ブランケットサイズの新聞を製作する場合は、ブランケットサイズの新聞を、連続紙の幅方向とブランケットサイズの新聞の横方向が平行になるように配して、デジタル印刷装置によって連続紙の幅方向に新聞２ページを並べた状態で連続紙の長さ方向に予め定められたページ数ごとに繰り返し印刷された連続紙を、下流側に送りながら、ブランケットサイズの新聞の縦寸法と同じ長さで幅方向と平行に切断し、切断した紙の幅方向の中央に折り目付けし、折り目付けした紙を、その折り目が丁合チェーンの背に整合するように順次跨がらせることによって重ね合わせ、さらに重なった状態で丁合チェーンに跨がった複数の紙の折り目を排出部材で突き上げて相対する搬送コンベヤーに挟んで２つ折りし、チョッパー折り機構に案内してチョッパー折り機構で４つ折りのブランケットサイズ新聞にするものであり、大きさがブランケットサイズの半分であるタブロイドサイズの新聞を製作する場合は、大きさがブランケットサイズの半分であるタブロイドサイズの新聞を、連続紙の幅方向とタブロイドサイズの新聞の縦方向が平行になるように配して、デジタル印刷装置によって連続紙の幅方向に新聞２ページを並べた状態で連続紙の長さ方向に予め定められたページ数ごとに繰り返し印刷された連続紙を、下流に送りながら、タブロイドサイズの新聞の横寸法の２倍の長さで幅方向と平行に切断し、切断した紙の幅方向の中央に折り目付けし、折り目付けした紙を、その折り目が丁合チェーンの背に整合するように順次跨がらせることによって重ね合わせ、さらに重なった状態で丁合チェーンに跨がった複数の紙の折り目を排出部材で突き上げて相対する搬送コンベヤーに挟んで２つ折りし、これを切断及び綴じステーションに案内し、前記折り目付けされた折り目近傍を折り目に沿って切断して、この切断端縁に横方向が平行であるタブロイドサイズの新聞２ページが並んだ個々の切断シートの積重ね体にするとともに、必要に応じてタブロイドサイズの新聞２ページの並び方向の中央を前記切断端縁に直角な方向に沿って綴じ、次いで、前記チョッパー折り機構に案内してチョッパー折り機構で前記綴じ位置に沿ってチョッパー折りし、２つ折りのタブロイドサイズの新聞にするものである。
【先行技術文献】
【特許文献】
【０００８】
【特許文献１】特開２００２−１９３５４５号公報
【特許文献２】特開２００３−３４１９２７号公報
【特許文献３】特開２００７−１５８５９号公報
【特許文献４】特開２００７−７６９２３号公報
【発明の概要】
【発明が解決しようとする課題】
【０００９】
ところで、上記特許文献１〜４に代表されるような、これまでに提案されたデジタル印刷による新聞製作装置は、従来のデジタル印刷物の印刷後の処理と同様に、印刷後の連続紙を切断して個々のシートにし、搬送し、フラットなシートのまま又は第１折りをした後に集めて積重ね、チョッパー折り機構に案内してチョッパー折りして新聞折り丁を製作するものであった。これは、新聞というこれまでのデジタル印刷物よりはるかに大きな面積の印刷物シートを搬送し、重ね合わせ、折り畳むための、従来にない大きな処理スペースを必要とするもので、印刷装置に続く処理機構が長大にならざるを得ず、簡素な印刷装置に対比し、不釣り合いであるとともに、無用の設置面積を必要とするものであった。
【００１０】
他方、新聞製作用の紙は、印刷に使用される紙の中でも比較的薄く腰の弱い紙であるため、搬送の際は、先端が空気抵抗によって捲れたり曲がったりしないように、先端側の動きを略全幅にわたって規制する必要があり、また、搬送力がアンバランスになり、紙に無用な力が作用して皺や破損が生じることの無いように、紙に接触する部材の加工仕上げ及び組立て仕上げを厳密にする必要があり、さらに、積重ねの際は、フリー落下中と落下後のいずれか一方又は双方で側端を叩いても、紙が途中で撓みあるいは紙同士の接触摩擦に負けて、紙全体が一体で移動することがなく、四辺を揃えた状態で積重ねることが極めて困難であった。
【００１１】
本発明は、上述した従来技術の問題点に鑑みてなされたものであり、その目的は、デジタル印刷後の処理機構を短小にし、かつ、良好な紙の重なり状態を極めて容易に得られるようにした、新聞製作装置を提供することにある。
【課題を解決するための手段】
【００１２】
本発明は、特許請求の範囲に記載された構成によって前記目的を達成しようとするものであり、本発明に係る新聞製作装置は、連続紙を供給する給紙ユニットと、インクジェット印刷ユニットと、印刷後の連続紙を切断して折り畳む折りユニットと、を有する新聞製作装置であって、前記折りユニットが、外周面に紙を保持する保持機構と、保持した紙を半径方向外側に突き出す折り刃機構と、を有する折り胴を備えた回転折りユニットであることを特徴とする。
【００１３】
また、本発明に係る新聞製作装置において、前記回転折りユニットは、前記保持機構で保持した紙を前記折り胴の複数回転毎に折り畳むコレクトランが可能であることとすることができる。
【００１４】
さらに、本発明に係る新聞製作装置では、前記インクジェット印刷ユニットの下流側に、連続紙を連続方向に沿って切断するスリッター機構と、切断した連続紙を重ね合わせる重ね合わせ機構と、を備えることができる。
【００１５】
またさらに、本発明に係る新聞製作装置において、前記スリッター機構と前記重ね合わせ機構とは、前記折りユニットに設けることができる。
【発明の効果】
【００１６】
本発明に係る新聞製作装置によれば、デジタル印刷ユニットの下流側に折り胴を備えた回転折りユニットを設ければよいので、新聞製作装置におけるデジタル印刷後の処理機構を従来に比較して著しい短小化をなし得、これにより、新聞製作装置全体の設置面積を必要最小限にすることができる。また、折り胴の外周面に紙を巻き付けることによって紙を重ね合わせるので、良好な紙の重なり状態を極めて容易に得ることができる。
【図面の簡単な説明】
【００１７】
【図１】第一の実施形態に係る新聞製作装置を示す正面内面図である。
【図２】図１のＩＩ−ＩＩ断面矢視図で、折りユニットの内面図である。
【図３Ａ】図２のＺ部拡大図で、鋸胴、折り胴及び咥胴の断面概略図であり、鋸刃装置が鋸刃受けと対向した位置を示す。
【図３Ｂ】図２のＺ部拡大図で、鋸胴、折り胴及び咥胴の断面概略図であり、差し刃装置が咥装置と対向した位置を示す。
【図４】印刷された連続紙が新聞折り丁となる経路を簡略化して模式的に示した斜視図である。
【図５】新聞折り丁のページ構成をわかりやすく示すために新聞折り丁の重なりをずらして示した斜視図である。
【図６】第二の実施形態に係る新聞製作装置を示す正面内面図である。
【図７】図６のＶＩＩ−ＶＩＩ断面矢視図で、折りユニットの内面図である。
【図８】印刷された連続紙Ｗが新聞折り丁となる経路を簡略化して模式的に示した斜視図である。
【図９】新聞折り丁のページ構成をわかりやすく示すために新聞折り丁の重なりをずらして示した斜視図である。
【図１０】スリッター機構と、２本のアングルバーを組合わせた重ね合わせ機構を示す平面図である。
【図１１】第三の実施形態に係る新聞製作装置を示す正面内面図である。
【発明を実施するための形態】
【００１８】
以下、本発明を実施するための好適な実施形態について、図面を用いて説明する。なお、以下の各実施形態は、各請求項に係る発明を限定するものではなく、また、各実施形態の中で説明されている特徴の組み合わせの全てが発明の解決手段に必須であるとは限らない。
【００１９】
［第一の実施形態］
図１は、第一の実施形態に係る新聞製作装置を示す正面内面図であり、図２は、図１のＩＩ−ＩＩ断面矢視図で、折りユニット１６の内面図である。なお、回転駆動されている回転体及び回転体に巻き付けられて移動するベルト類の駆動源は、図示を省略している。また、各矢印は、印刷が行われているときの回転体の回転方向並びにベルト及び紙の進行方向を示している。
【００２０】
新聞製作装置１は、図１の左側から給紙ユニット１１、インフィードユニット１２、２つのインクジェット印刷ユニット１３、１４、アウトフィードユニット１５、折りユニット１６と適宜な位置に配置され、連続紙を案内する複数のガイドローラーＧＲを有している。
【００２１】
給紙ユニット１１は巻取紙ＷＲを懸架し、そこから連続紙Ｗ１を供給する。
【００２２】
インフィードユニット１２は、回転駆動されているインフィードローラー１２１と、インフィードローラー１２１に巻きかけられた連続紙Ｗ１をインフィードローラー１２１の周面に押付ける押さえローラー１２２とによって、連続紙Ｗ１に張力を与えながら次のインクジェット印刷ユニット１３へ送り出す。
【００２３】
１番目のインクジェット印刷ユニット１３は、複数のインクジェットヘッドからなるインクジェットヘッドユニット１３０を有しており、ガイドローラーＲ３１〜Ｒ３５に案内されて連続紙Ｗ１が図１で左から右方向へ走行することによって連続紙Ｗ１の表面Ｆｗに印刷を行う。
【００２４】
１番目のインクジェット印刷ユニット１３で表面Ｆｗに印刷が行われた連続紙Ｗは、ガイドローラーＧＲに案内されて２番目のインクジェット印刷ユニット１４に導かれる。
【００２５】
２番目のインクジェット印刷ユニット１４も、複数のインクジェットヘッドからなるインクジェットヘッドユニット１４０を有しており、ガイドローラーＲ４１〜Ｒ４５に案内されて連続紙Ｗ１が図１で右から左方向へ走行することによって連続紙Ｗ１の裏面Ｂｗに印刷を行う。
【００２６】
アウトフィードユニット１５は、回転駆動されているアウトフィードローラー１５１と、アウトフィードローラー１５１に巻きかけられた連続紙Ｗ１をアウトフィードローラー１５１の周面に押付ける押さえローラー１５２とによって、インフィードユニット１２と協働してインクジェット印刷ユニット１３、１４を走行する連続紙Ｗ１に張力を与えるとともに、連続紙Ｗ１を次の折りユニット１６へ送り出す。
【００２７】
折りユニット１６は、紙引きローラー１６１、アングルバー１６２、２組のニッピングローラーＨ１及びＨ２、鋸胴Ｉ、折り胴Ｊ、咥胴Ｋ、案内ベルトＬ、羽根車Ｍ、コンベヤーＮ、ペーパーガイドＧ１、Ｇ２、Ｇ３及びガイドローラーＲ６１〜Ｒ６４を有している。
【００２８】
詳細には、印刷された連続紙Ｗ１をガイドローラーＲ６１、Ｒ６２によって回転駆動されている紙引きローラー１６１に巻きかけ、折りユニット１６の上部に牽引し、案内する。その後アングルバー１６２によって連続紙Ｗ１は、その向きを水平方向で９０度変更されて、ガイドローラーＲ６３、Ｒ６４によってニッピングローラーＨ１に案内される。
【００２９】
ニッピングローラーＨ１及びＨ２は、ガイドローラーＲ６３の下方に上下に配置されており、それぞれは、互いに逆方向に回転駆動されている左右一対のローラーＨａとＨｂからなっている。ローラーＨａとＨｂは、その間を通る連続紙Ｗ１の幅方向両端部近傍に、他の部分より外形が大きい押さえ部が形成されている。ニッピングローラーＨ１及びＨ２のローラーＨａとＨｂの押さえ部によって連続紙Ｗ１の幅方向両端部近傍を適宜な押さえ力で挟み、下側に配置されたニッピングローラーＨ２から連続紙Ｗ１を折り胴Ｊと咥胴Ｋとの間に送り出すようになっている。
【００３０】
鋸胴Ｉと折り胴Ｊは、折り胴Ｊの軸心を鋸胴Ｉの軸心よりわずかに高くして左右に配置され、双方の周面の間にわずかな隙間がとられている。そして、折り胴Ｊと鋸胴Ｉは、互いに逆方向に回転駆動されており、折り胴Ｊと鋸胴Ｉの間にニッピングローラーＨ２から送り出されてくる連続紙Ｗ１が、折り胴Ｊの略接線方向に入るように位置している。
【００３１】
咥胴Ｋは折り胴Ｊの隣に、咥胴Ｋの軸心を折り胴Ｊの軸心よりわずかに高くして鋸胴Ｉとは反対の側に配置され、双方の周面の間にわずかな隙間がとられている。そして、咥胴Ｋは、折り胴Ｊとは逆方向に回転駆動されている。
【００３２】
図３Ａ及び図３Ｂは、図２のＺ部拡大図で、鋸胴Ｉと折り胴Ｊ及び咥胴Ｋの断面概略図である。
【００３３】
鋸胴Ｉは、鋸刃装置Ｉ１を１つ備えている。一方、鋸刃装置Ｉ１は、鋸刃Ｉ１１と紙押さえＩ１２からなっている。鋸刃Ｉ１１は刃先が細かい山形をした鋸歯で、刃先が鋸胴Ｉ周面からその軸と平行な方向で半径方向外側に突き出ている。紙押さえＩ１２は、鋸刃Ｉ１１の両側に、鋸刃Ｉ１１に沿って隣接して設けられた弾性体で、後述する咥胴Ｋに設けられた鋸刃受けＪ１が、胴の回転にともなって紙押さえＩ１２と対向する位置となったとき、鋸刃受けＪ１と紙押さえＩ１２の間に、紙押さえＩ１２の弾性力によって連続紙Ｗ１を挟み込み、鋸刃Ｉ１１の刃先が鋸刃受けＪ１に１〜２ミリメートル食い込むことによって連続紙Ｗ１を幅方向と平行に断裁する。鋸胴Ｉが、１回転するごとに連続紙Ｗ１を断裁する長さ（断裁長）は、後述する本新聞製作装置で製作する新聞の２頁分の横の長さである。
【００３４】
折り胴Ｊは、その周長が、連続紙Ｗ１の断裁長の２倍で、鋸刃受けＪ１と、折り胴Ｊの外周面に紙（連続紙Ｗ１あるいは連続紙Ｗ１が断裁されて作成されたシート。以下同意。）を保持する保持機構としての針装置Ｊ２と、折り胴Ｊの外周面に保持されたシートを半径方向外側に突き出す折り刃機構としての差し刃装置Ｊ３とをそれぞれ２つ、折り胴Ｊ周面近傍に均等に配置している。
【００３５】
鋸刃受けＪ１は適宜な硬度のゴム製で、鋸胴Ｉの鋸刃装置Ｉ１と対向して、その間で連続紙Ｗ１を挟んで断裁する。
【００３６】
針装置Ｊ２は、折り胴Ｊの回転方向において、鋸刃装置Ｉ１の鋸刃Ｉ１１が鋸刃受けＪ１と協働して連続紙Ｗ１を断裁する位置の直後に配置されている。１つの針装置Ｊ２には折り胴Ｊの周面に出没可能な数本の針Ｊ２１が、連続紙Ｗ１の幅方向に適宜な間隔で配置されている。そして、針Ｊ２１を折り胴Ｊの周面から数ミリメートル突き出すことによって、折り胴Ｊの回転にともなって、連続紙Ｗ１が鋸刃Ｉ１１に断裁される直前から連続紙Ｗ１に突き刺さりはじめ、断裁された連続紙Ｗ１の先行端部を突き刺して保持し、牽引しながら連続紙Ｗ１を折り胴Ｊに巻き取っていく。そして適宜なタイミングで針Ｊ２１を折り胴Ｊの周面から引込め、折り胴Ｊに巻き取られて保持されていたシートから針Ｊ２１を抜いて、紙が咥胴Ｋに受け渡されて行くことを妨げないようになっている。なお、咥胴Ｋには針Ｊ２１が干渉しないように逃げ溝が形成されており、鋸胴Ｉの紙押さえＩ１２は、針Ｊ２１が容易に刺さることができる硬度である。
【００３７】
差し刃装置Ｊ３は、折り胴Ｊの周面に連続紙Ｗ１の幅方向に渡って出没可能な薄板である差し刃Ｊ３１を有しており、差し刃Ｊ３１は、連続紙Ｗ１が断裁される位置（折り胴Ｊ周面上２個所）の中間の位置に突き出るように設けられている。差し刃Ｊ３１が折り胴Ｊの周面から適宜なタイミングで突き出ることによって、針Ｊ２１によって折り胴Ｊに巻き取られたシートを、後述する咥胴Ｋに設けられている咥装置Ｋ１の咥板Ｋ１１、Ｋ１２の間に挿入するようになっている。
【００３８】
次に、咥胴Ｋは、その周長が断裁長の２倍で、咥装置Ｋ１を２つ、周面近傍に均等に配置している。
【００３９】
咥装置Ｋ１は、近接する２つの咥板Ｋ１１、Ｋ１２を有している。咥板Ｋ１１は咥胴Ｋに取付け固定されており、咥板Ｋ１２は揺動軸Ｋ１２０を中心に揺動してその縁が咥板Ｋ１１の縁と咥胴Ｋの周面において接離可能となっている。そして、咥板Ｋ１１の縁と咥板Ｋ１２の縁が離れた状態で、咥胴Ｋの回転によって、それら縁の間が折り胴Ｊの差し刃Ｊ３１と対向したとき、差し刃Ｊ３１が突き出すことによって折り胴Ｊの周面に巻き取られたシートが、咥板Ｋ１１、Ｋ１２の間に挿入され、直後に咥板Ｋ１２はその縁が咥板Ｋ１１の縁に接触する方向に揺動して、咥板Ｋ１１の縁と咥板Ｋ１２の縁が、差し刃Ｊ３１によって挿し込まれたシートを挟んで咥えるようになっている。
【００４０】
咥板Ｋ１１の縁と咥板Ｋ１２の縁によって咥えられたシートは、咥えられた位置で折り目がつくとともに、折り胴Ｊの針Ｊ２１が引込むことによって折り胴Ｊに巻き取られていた先行側端部が折り胴Ｊから解放されて、ペーパーガイドＧ１に沿って折り胴Ｊから咥胴Ｋに引き寄せられ、そして、咥えられた位置より後行側は咥胴Ｋに巻き取られていく。
【００４１】
案内ベルトＬは、回転駆動されているプーリーを含む複数のプーリーによって案内され、一部が咥胴Ｋに巻きかけられている無端のベルトである。案内ベルトＬは、咥板Ｋ１１、Ｋ１２によって形成された折り目を先行として、咥胴Ｋに巻き取られてくるシートを咥胴Ｋ周面との間に挟むことによって、折られたシートの半分と半分をその両断裁縁に向けて重ね合わせ、新聞折り丁Ｐｆ１とするとともに、咥胴Ｋと協働して新聞折り丁Ｐｆ１を羽根車Ｍの上方へと運ぶ。
【００４２】
咥板Ｋ１１、Ｋ１２の間に差し刃Ｊ３１が対向した位置から咥胴Ｋが半回転余り回転進行して、新聞折り丁Ｐｆ１が咥えられた位置がペーパーガイドＧ２の先端に達する前に、咥板Ｋ１２は、その縁が咥板Ｋ１１の縁から離れる方向に揺動して新聞折り丁Ｐｆ１を咥胴Ｋから解放する。
【００４３】
咥胴Ｋから解放された新聞折り丁Ｐｆ１は、ペーパーガイドＧ２と、咥胴Ｋ周面から離れて進行する案内ベルトＬとによって、羽根車Ｍの羽根Ｍ１と羽根Ｍ１の間に案内される。
【００４４】
羽根車Ｍは、咥胴Ｋが２分の１回転する間に羽根Ｍ１と羽根Ｍ１の間隔分進むように回転駆動されており、連続紙Ｗ１の走行速度と同じ速度で運ばれてきた新聞折り丁Ｐｆ１を１部ずつ羽根Ｍ１と羽根Ｍ１の間に収容して減速させる。そして、羽根Ｍ１と羽根Ｍ１の間に収容された新聞折り丁Ｐｆ１は、羽根車Ｍの下側まで運ばれるとペーパーガイドＧ３によって羽根Ｍ１と羽根Ｍ１の間から押出されて、連続紙Ｗ１の走行速度より遅い速度で駆動されているコンベヤーＮの上に新聞折り丁Ｐｆ１の一部を重ねた鱗状に並べられて排出される。
【００４５】
コンベヤーＮによって搬出される新聞折り丁Ｐｆ１は、図示しない後処理装置によって所望の荷姿にまとめられる。
【００４６】
なお、折り胴Ｊと咥胴Ｋは、その回転速度が等しく、また、鋸胴Ｉは、折り胴Ｊ及び咥胴Ｋの２倍の回転速度で回転し、上述のように鋸胴Ｉの鋸刃装置Ｉ１と折り胴Ｊの鋸刃受けＪ１及び折り胴Ｊの差し刃Ｊ３１と咥胴Ｋの咥板Ｋ１１、Ｋ１２の間が、回転によって対向するように同期されて駆動されている。
【００４７】
図１に示した新聞製作装置１では、連続紙Ｗ１の走行経路中、折りユニット１６のアングルバー１６２によって連続紙Ｗ１の走行方向を水平方向で９０度変更することによって新聞折り丁Ｐｆ１がコンベヤーＮから新聞製作装置１内を走行する連続紙Ｗ１の走行方向に直角な方向に搬出されるように構成されているが、アングルバーをなくして、新聞折り丁Ｐｆ１がコンベヤーＮから新聞製作装置１内を走行する連続紙Ｗ１の走行方向と同じ方向に搬出されるように構成してもよい。
【００４８】
次に、前述の新聞製作装置１によって、縦書き８ページの新聞を製作する過程について説明する。
【００４９】
図４は、印刷された連続紙Ｗ１が新聞折り丁Ｐｆ１となる経路を簡略化して模式的に示した斜視図であり、図５は、図４の新聞折り丁Ｐｆ１のページ構成をわかりやすく示すために新聞折り丁Ｐｆ１の重なりをずらして示した斜視図である。
【００５０】
連続紙Ｗ１はその幅が作成する新聞の縦の長さに等しい寸法である。また、図４で連続紙Ｗ１の縁ｅ１（図１に示す新聞製作装置１の構成では、図１においてインクジェット印刷ユニット１３、１４を通る連続紙Ｗ１の手前の側）が新聞紙面の天側となる。
【００５１】
給紙ユニット１１からインフィードユニット１２を通って１番目のインクジェット印刷ユニット１３に通された連続紙Ｗ１は、その表面Ｆｗに、１番目として第５ページの紙面を、続いて２番目として第４ページの紙面を印刷する。３番目として再び第５ページの紙面を、そして４番目として第４ページの紙面を印刷する。更に続いて５番目として第７ページの紙面を、６番目として第２ページの紙面を印刷する。７番目として再び第７ページの紙面を、そして８番目として第２ページの紙面を印刷する。つまり、第５、４、５、４、７、２、７、２ページの順に繰り返し、紙面の印刷を行っていく。表面Ｆｗにこのように印刷された連続紙Ｗ１は、２番目のインクジェット印刷ユニット１４によって、前記第５ページの紙面が印刷された裏面Ｂｗに第６ページの紙面を、第４ページの紙面が印刷された裏面Ｂｗに第３ページの紙面を続けて印刷し、前記第７ページの紙面が印刷された裏面Ｂｗに第８ページの紙面を、第２ページの紙面が印刷された裏面Ｂｗに第１ページの紙面を続けて印刷する。つまり、表面Ｆｗに印刷された紙面と位置の整合をとりながら、第６、３、６、３、８、１、８、１ページ（図４でカッコ内に示したページ）の順に繰り返し紙面の印刷を行っていく。
【００５２】
表裏両面に印刷が行われた連続紙Ｗ１は、アウトフィードユニット１５を経由して折りユニット１６に導かれる。紙引きローラー１６１によって折りユニット１６の上部に牽引された連続紙Ｗ１は、アングルバー１６２によってその向きを水平方向で９０度変更され、ガイドローラーＲ６３、Ｒ６４によってニッピングローラーＨ１に案内される。ニッピングローラーＨ１のローラーＨａとＨｂは、押さえ部によって連続紙Ｗ１の幅方向両端部、すなわち紙面の上下余白部を適宜な押さえ力で挟み、ニッピングローラーＨ２に送り出す。ニッピングローラーＨ２もニッピングローラーＨ１と同様に押さえ部によって連続紙Ｗ１の幅方向両端部を適宜な押さえ力で挟み、折り胴Ｊと鋸胴Ｉとの間に送り出す。連続紙Ｗ１は、回転駆動されている２組のローラーＨａとＨｂによって挟まれて送り出されるので、次の折り胴Ｊと鋸胴Ｉの間で行われる断裁などによる張力の変動が連続紙Ｗ１の走行経路の上流側に影響を及ぼすことがなく、しかも、ローラーＨａとＨｂは、紙面の余白部を挟んでいるので、紙面のインクがローラーＨａとＨｂの押さえ部に転写して、紙面を汚すこともない。
【００５３】
ニッピングローラーＨ２から下方に送り出されてきた連続紙Ｗ１は、折り胴Ｊと鋸胴Ｉの間に入る。両胴の回転にともなって、折り胴Ｊの表面から突き出ている針Ｊ２１が連続紙Ｗ１の表面Ｆｗから裏面Ｂｗへ突き刺さりながら、紙押さえＩ１２が鋸刃受けＪ１との間に連続紙Ｗ１を挟み込み、鋸刃Ｉ１１が鋸刃受けＪ１に食い込んで連続紙Ｗ１を断裁する。断裁する位置は、インクジェット印刷ユニット１２、１３の印刷タイミングと、折り胴Ｊ、鋸胴Ｉの回転位相とを合わせることによって、表面Ｆｗに印刷された紙面の第４ページとその後に印刷された第５ページとの間（裏面Ｂｗに印刷された紙面の第３ページとその後に印刷された第６ページとの間（図４矢印ａが示す位置））、表面Ｆｗに印刷された紙面の第４ページとその後に印刷された第７ページとの間（裏面Ｂｗに印刷された紙面の第３ページとその後に印刷された第８ページとの間（図４矢印ｂが示す位置））、表面Ｆｗに印刷された紙面の第２ページとその後に印刷された第７ページとの間（裏面Ｂｗに印刷された紙面の第１ページとその後に印刷された第８ページとの間（図４矢印ｃが示す位置））及び表面Ｆｗに印刷された紙面の第２ページとその後に印刷された第５ページとの間（裏面Ｂｗに印刷された紙面の第１ページとその後に印刷された第６ページとの間（図４矢印ｄが示す位置））を順次繰り返し断裁していく。
【００５４】
連続紙Ｗ１は、紙押さえＩ１２と鋸刃受けＪ１との間に挟み込まれているので、鋸刃Ｉ１１が鋸刃受けＪ１に食い込みながら連続紙Ｗ１を断裁する際に、断裁位置がずれることがない。
【００５５】
また、断裁されてシートとなった紙は、その先行側端部に針Ｊ２１が刺さっているので、針Ｊ２１が折り胴Ｊ周面から引込んでシートから抜けるまでは、折り胴Ｊ周面に保持される。
【００５６】
このようにして、１番目には表面Ｆｗに第５、４ページが、裏面Ｂｗに第６、３ページの紙面が印刷されたシートが作成され、２番目にも表面Ｆｗに第５、４ページが、裏面Ｂｗに第６、３ページの紙面が印刷されたシートが作成され、３番目には表面Ｆｗに第７、２ページが、裏面Ｂｗに第８、１ページの紙面が印刷されたシートが作成され、そして、４番目にも表面Ｆｗに第７、２ページが、裏面Ｂｗに第８、１ページの紙面が印刷されたシートが作成され、それが繰り返される。
【００５７】
一方、連続紙Ｗ１から断裁された１番目のシートｐ１の先行端が、針Ｊ２１に刺さることによって牽引され、折り胴Ｊの周囲２分の１に巻き取られて保持された状態で、シートｐ１の下で折り胴Ｊの周面から引込んだ状態の差し刃Ｊ３１は、咥胴Ｋの咥板Ｋ１１とＫ１２の間と対向する位置に至っても、差し刃Ｊ３１を突き出さず、かつ、シートｐ１の先行端を突き刺している針Ｊ２１も引込むことがない。すなわち、１番目のシートｐ１は針Ｊ２１に牽引、保持されたまま、先行端部が、再び連続紙Ｗ１の走行経路と重なる位置に向かう。
【００５８】
また、２番目のシートとなる連続紙Ｗ１の先行端も、針Ｊ２１が刺さることによって針胴Ｊの周面に巻き取られていく。
【００５９】
１番目のシートｐ１の先行端部を突き刺して保持し、牽引している針Ｊ２１は、折り胴Ｊの回転によって、ニッピングローラーＨ２から送られてくる連続紙Ｗ１を更に突き刺しつつ、鋸刃装置Ｉ１が鋸刃受けＪ１との間に挟んだ連続紙Ｗ１を断裁して２番目のシートｐ２の後行端と、３番目のシートとなる連続紙Ｗ１の先行端を分離する（図３Ａ参照）。そして、１番目のシートｐ１の外側に重ねて３番目のシートとなる連続紙Ｗ１も針２１によって牽引されて折り胴Ｊに巻き取られていく。
【００６０】
その間に、連続紙Ｗ１から断裁された２番目のシートｐ２は、針Ｊ２１に牽引されたまま折り胴Ｊの周囲２分の１に巻き取られて保持された状態で、折り胴Ｊとともに回転していく。そして、シートｐ２下で折り胴Ｊの周面から引込んだ状態の差し刃Ｊ３１が、咥胴Ｋの咥板Ｋ１１とＫ１２の間と対向する位置に至ったとき、差し刃Ｊ３１は突き出さず、かつ、シートｐ２の先行端を突き刺している針Ｊ２１も引込むことがない。すなわち、２番目のシートｐ２も針Ｊ２１に牽引されたまま、先行端部が、再び連続紙Ｗ１の走行経路と重なる位置に向かう。
【００６１】
２番目のシートｐ２の先行端部を突き刺して保持し、牽引している針Ｊ２１は、折り胴Ｊの回転によって、ニッピングローラーＨ２から送られてくる連続紙Ｗ１を更に突き刺しつつ、鋸刃装置Ｉ１が鋸刃受けＪ１との間に挟んだ連続紙Ｗ１を断裁して３番目のシートの後行端と、４番目のシートとなる連続紙Ｗ１の先行端を分離する。そして、２番目のシートｐ２の外側に重ねて４番目のシートとなる連続紙Ｗ１も針Ｊ２１によって牽引されて折り胴Ｊに巻き取られていく。
【００６２】
続いて、重ね合わされた１番目のシートｐ１と３番目のシートの下で折り胴Ｊの周面から引込んだ状態の差し刃Ｊ３１は、咥胴Ｋの咥板Ｋ１１とＫ１２の間と対向する位置に至る直前に、差し刃装置Ｊ３は、差し刃Ｊ３１を突き出し始め、それと略同時に１番目のシートｐ１と３番目のシートの先行端を突き刺している針装置Ｊ２は、針Ｊ２１を引込める。
【００６３】
前記動作の直後に、差し刃Ｊ３１が咥胴Ｋの咥板Ｋ１１とＫ１２の間に対向し、１番目のシートｐ１と３番目のシートを咥板Ｋ１１、Ｋ１２の間に差込む。差込まれた直後に咥装置Ｋ１は、咥板Ｋ１２を揺動軸Ｋ１２０を中心に揺動して咥板Ｋ１１の縁と咥板Ｋ１２の縁で１番目のシートｐ１と３番目のシートを咥えることによって、１番目のシートｐ１と３番目のシートの先行側半分を折り胴Ｊから咥板Ｋに引き寄せ（図３Ｂ参照）、かつ、１番目のシートｐ１と３番目のシートの後行側半分を咥胴Ｋに巻き取っていく。
【００６４】
差し刃Ｊ３１は、１番目のシートｐ１と、３番目のシートを咥板Ｋ１１、Ｋ１２の間に差込んだ後、折り胴Ｊから咥胴Ｋに引き寄せられる紙の移動を阻害しないように折り胴Ｊ内へ引込む。
【００６５】
このようにして、折り胴Ｊ周面上で１番目のシートｐ１の外側に３番目のシートが重ね合わされた２枚のシートは、その中央を咥板Ｋ１１の縁と咥板Ｋ１２の縁によって咥えられ、咥えられた位置で折り目がつけられる。そして、咥板Ｋ１１の縁と咥板Ｋ１２の縁によって咥えられた２枚のシートは、咥胴Ｋと案内ベルトＬに挟まれていくことによって、重ねて折り目の付けられたシートの、折り胴Ｊ周面上で先行側であった半分と、折り目より後行側の半分が重ね合わされ、第１から第８ページが印刷された新聞折り丁Ｐｆ１となる。（図５参照）
【００６６】
新聞折り丁Ｐｆ１は、咥胴Ｋと案内ベルトＬによって羽根車Ｍの上部へと運ばれ、新聞折り丁Ｐｆ１が咥えられた位置がペーパーガイドＧ２に達する前に、咥装置Ｋ１は、咥板Ｋ１２をその縁が咥板Ｋ１１の縁から離れる方向に揺動して、新聞折り丁Ｐｆ１を咥板Ｋ１１と咥板Ｋ１２から解放し、ペーパーガイドＧ２と、ペーパーガイドＧ２に沿って延びる案内ベルトＬによって羽根車Ｍの羽根Ｍ１と羽根Ｍ１の間に投入される。
【００６７】
羽根Ｍ１と羽根Ｍ１の間に投入されて収容された新聞折り丁Ｐｆ１は、羽根車Ｍが回転して収容された位置が下側となったところで、羽根Ｍ１と羽根Ｍ１の間から新聞折り丁Ｐｆ１をコンベヤーＮの上に排出する。
【００６８】
他方、２番目のシートｐ２の外側に重ねて４番目のシートとなる連続紙Ｗ１も、針Ｊ２１によって牽引されて折り胴Ｊに巻き取られて、鋸刃装置Ｉ１が鋸刃受けＪ１との間に挟んだ連続紙Ｗ１を断裁して４番目のシートの後行端を連続紙Ｗ１から分離する。そして、重ね合わされた２番目のシートｐ２と４番目のシートの下で折り胴Ｊの周面から引込んだ状態の差し刃Ｊ３１は、咥胴Ｋの咥板Ｋ１１とＫ１２の間と対向する位置に至る直前に、差し刃装置Ｊ３は、差し刃Ｊ３１を突き出し始め、それと略同時に２番目のシートｐ２と４番目のシートの先行端を突き刺している針装置Ｊ２は、針Ｊ２１を引込める。
【００６９】
前記動作の直後に、差し刃Ｊ３１が咥胴Ｋの咥板Ｋ１１とＫ１２の間に対向し、２番目のシートｐ２と４番目のシートを咥板Ｋ１１、Ｋ１２の間に差込む。差込まれた直後に咥装置Ｋ１は、咥板Ｋ１２を揺動軸Ｋ１２０を中心に揺動して、咥板Ｋ１１の縁と咥板Ｋ１２の縁で２番目のシートｐ２と４番目のシートを咥えることによって、２番目のシートｐ２と４番目のシートの先行側半分を折り胴Ｊから咥胴Ｋに引き寄せ、そして、２番目のシートｐ２と４番目のシートの後行側半分を咥胴Ｋに巻き取っていく。
【００７０】
差し刃Ｊ３１は、２番目のシートｐ２と４番目のシートを咥板Ｋ１１、Ｋ１２の間に差込んだ後、折り胴Ｊから咥胴Ｋに引き寄せられる紙の移動を阻害しないよう、折り胴Ｊ内へ引込む。
【００７１】
このようにして、折り胴Ｊ周面上で２番目のシートｐ２の外側に４番目のシートが重ね合わされた２枚のシートは、その中央を咥板Ｋ１１の縁と咥板Ｋ１２の縁によって咥えられ、咥えられた位置で折り目がつけられる。そして、咥板Ｋ１１の縁と咥板Ｋ１２の縁によって咥えられた２枚のシートは、咥胴Ｋと案内ベルトＬに挟まれていくことによって、重ねて折り目の付けられたシートの、折り胴Ｊ周面上で先行側であった半分と、折り目より後行側の半分が重ね合わされ、前述の１番目のシートｐ１と３番目のシートによる新聞折り丁Ｐｆ１と同様に、第１から第８ページが印刷された新聞折り丁Ｐｆ１となる。
【００７２】
出来上がった２番目のシートｐ２と４番目のシートによる新聞折り丁Ｐｆ１は、１番目のシートｐ１と３番目のシートによる新聞折り丁Ｐｆ１と同様に羽根車ＭによってコンベヤーＮの上に排出される。以上の動作が繰り返されることによって、連続して８ページの新聞が製作される。
【００７３】
［第二の実施形態］
本発明に係る第二の実施形態として、図６に新聞製作装置２の正面内面図を示す。また、図７は、図６のＶＩＩ−ＶＩＩ断面矢視図で、折りユニット２６の内面図である。なお、回転駆動されている回転体及び回転体に巻き付けられて移動するベルト類の駆動源は、図示を省略している。また、各矢印は、印刷が行われているときの回転体の回転方向並びにベルト及び紙の進行方向を示している。
【００７４】
新聞製作装置２は、図６の左側から給紙ユニット２１、インフィードユニット２２、２つのインクジェット印刷ユニット２３、２４、アウトフィードユニット２５、折りユニット２６と、適宜な位置に配置され、連続紙を案内する複数のガイドローラーＧＲＤを有している。
【００７５】
給紙ユニット２１、インフィードユニット２２、２つのインクジェット印刷ユニット２３、２４、アウトフィードユニット２５及びガイドローラーＧＲＤは、それらの機能が、新聞製作装置１の給紙ユニット１１、インフィードユニット１２、２つのインクジェット印刷ユニット１３、１４、アウトフィードユニット１５、ガイドローラーＧＲと同じである。異なる点は印刷される連続紙Ｗ２の幅が新聞製作装置１の連続紙Ｗ１の２倍であり、前記給紙ユニット２１、インフィードユニット２２、２つのインクジェット印刷ユニット２３、２４、アウトフィードユニット２５及びガイドローラーＧＲＤは、連続紙Ｗ２の幅に対応している。
【００７６】
折りユニット２６は、スリッター機構Ｅ、重ね合わせ機構であるフォーマーＦ、２組のニッピングローラーＨ１及びＨ２、鋸胴Ｉ、折り胴Ｊ、咥胴Ｋ、案内ベルトＬ、羽根車Ｍ、コンベヤーＮを有している。
【００７７】
スリッター機構Ｅは、回転駆動される円形のスリッターナイフＥ１と、回転駆動されて紙引きローラー及びフォーマーＦへ連続紙Ｗ２を案内するガイドローラーを兼ねている受けローラーＥ２と、連続紙Ｗ２を受けローラーＥ２の周面に押し付ける押さえコロＥ３からなっている。スリッターナイフＥ１は連続紙Ｗ２の幅方向中央に位置しており、また、受けローラーＥ２には、スリッターナイフＥ１の刃先（外周縁）に対応した位置に、スリッターナイフＥ１の厚みより若干広い幅の溝が設けられている。スリッターナイフＥ１の刃先が受けローラーＥ２の溝に１〜３ミリメートル食い込むことによって、受けローラーＥ２に巻きかけられた連続紙Ｗ２は、その走行に連れて連続方向に沿って切断されて、連続紙Ｗ２１と連続紙Ｗ２２となる。なお、受けローラーＥ２の、紙引きローラーとしての役割を補助するために、連続紙Ｗ２１と連続紙Ｗ２２の両側縁近傍を受けローラーＥ２の周面に押し付ける押さえコロＥ３が設けられている。
【００７８】
重ね合わせ機構であるフォーマーＦは、逆三角形のフォーマーボードＦ１と、前述の受けローラーＥ２とは軸の方向が９０度異なる向きでフォーマーボードＦ１の頂点を挟むように位置する一対の重ね合わせローラーＦ２、Ｆ２からなっている。スリッター機構Ｅから送り出されてくる連続紙Ｗ２１と連続紙Ｗ２２を、フォーマーボードＦ１の縁に沿わせて、その連続方向に平行な向きをそれぞれ９０度変更するとともに、連続紙Ｗ２１と連続紙Ｗ２２の裏面Ｂｗを向き合わせとして、連続紙Ｗ２１、Ｗ２２の両端縁をそろえて、重ね合わせローラーＦ２によって重ね合わせる。
【００７９】
次に、重ね合わされた連続紙Ｗ２１と連続紙Ｗ２２は、略垂直方向下方へ進み、ニッピングローラーＨ１へと導かれる。
【００８０】
重ね合わせローラーＦ２、Ｆ２の連続紙Ｗ２１、Ｗ２２走行方向下流側に位置する２組のニッピングローラーＨ１及びＨ２、折り胴Ｊ、咥胴Ｋ、案内ベルトＬ、羽根車Ｍ、コンベヤーＮは、前述の新聞製作装置１が有する折りユニット１６のそれらと同じである。従って、それらの構成は、前述の説明中「連続紙Ｗ１」を「重ね合わされた連続紙Ｗ２１と連続紙Ｗ２２」と、「新聞折り丁Ｐｆ１」を「新聞折り丁Ｐｆ２」と読み替えるものとし、ここでは説明を省略する。
【００８１】
次に、新聞製作装置２によって、縦書き１６ページの新聞を製作する過程について説明する。
【００８２】
図８は、印刷された連続紙Ｗ２が新聞折り丁Ｐｆ２となる経路を模式的に示した斜視図であり、図９は、図８の新聞折り丁Ｐｆ２のページ構成をわかりやすく示すために新聞折り丁Ｐｆ２の重なりをずらして示した斜視図である。
【００８３】
連続紙Ｗ２は、その幅が新聞の縦の長さの２倍に等しい寸法である。また、新聞製作装置２の構成では、連続紙Ｗ２がスリッター機構Ｅによって切断されて縁となる位置、すなわち、連続紙Ｗ２の幅方向中央（図８に一点鎖線ｅ２で示す位置）が新聞紙面の地側となり、連続紙Ｗ２の幅方向両端（図８にｅ３及びｅ４で示す位置）が新聞紙面の天側となる。
【００８４】
給紙ユニット２１からインフィードユニット２２を通って１番目のインクジェット印刷ユニット２３に通された連続紙Ｗ２は、その表面Ｆｗに、１番目として幅方向手前側（スリッター機構Ｅによって切断されて連続紙Ｗ２１となる側）に第９ページの紙面を、幅方向奥側（スリッター機構Ｅによって切断されて連続紙Ｗ２２となる側）に第１２ページの紙面を、続いて２番目として幅方向手前側に第８ページの紙面を、幅方向奥側に第５ページの紙面を印刷する。
【００８５】
３番目として再び幅方向手前側に第９ページの紙面を、幅方向奥側に第１２ページの紙面を、そして４番目として幅方向手前側に第８ページの紙面を、幅方向奥側に第５ページの紙面を印刷する。
【００８６】
更に続いて、５番目として幅方向手前側に第１３ページの紙面を、幅方向奥側に第１６ページの紙面を、６番目として幅方向手前側に第４ページの紙面を、幅方向奥側に第１ページの紙面を印刷する。
【００８７】
７番目として再び幅方向手前側に第１３ページの紙面を、幅方向奥側に第１６ページの紙面を、そして８番目として幅方向手前側に第４ページの紙面を、幅方向奥側に第１ページの紙面を印刷する。
【００８８】
つまり、幅方向手前側に第９、８、９、８、１３、４、１３、４ページの順に、幅方向奥側に第１２、５、１２、５、１６、１、１６、１ページの順に繰り返し紙面の印刷を行っていく。表面Ｆｗにこのように印刷された連続紙Ｗ２は、２番目のインクジェット印刷ユニット２４によって、前記第９ページの紙面が印刷された裏面Ｂｗに第１０ページの紙面を、第１２ページの紙面が印刷された裏面Ｂｗに第１１ページの紙面を、そして、前記第８ページの紙面が印刷された裏面Ｂｗに第７ページの紙面を、第５ページの紙面が印刷された裏面Ｂｗに第６ページの紙面を続けて印刷し、前記第１３ページの紙面が印刷された裏面Ｂｗに第１４ページの紙面を、第１６ページの紙面が印刷された裏面Ｂｗに第１５ページの紙面を、そして、前記第４ページの紙面が印刷された裏面Ｂｗに第３ページの紙面を、第１ページの紙面が印刷された裏面Ｂｗに第２ページの紙面を続けて印刷する。つまり、表面Ｆｗに印刷された紙面と位置の整合をとりながら、裏面Ｂｗ幅方向手前側に第１０、７、１０、７、１４、３、１４、３ページの順に、幅方向奥側に第１１、６、１１、６、１５、２、１５、２ページ（図８でカッコ内に示したページ）の順に繰り返し紙面の印刷を行っていく。
【００８９】
表裏両面に印刷が行われた連続紙Ｗ２は、アウトフィードユニット２５を経由して、折りユニット２６に導かれる。
【００９０】
連続紙Ｗ２は、スリッター機構Ｅの紙引きローラーを兼ねる受けローラーＥ２によってフォーマーボードＦ１上部に牽引されるとともにスリッターナイフＥ１によって幅方向中央を切断され、連続紙Ｗ２１と連続紙Ｗ２２となる。連続紙Ｗ２１と連続紙Ｗ２２は、フォーマーボードＦ１の傾斜した縁に沿ってその向きを９０度変更され、重ね合わせローラーＦ２、Ｆ２によって重ね合わされてニッピングローラーＨ１に向かう。ニッピングローラーＨ１のローラーＨａとＨｂは、押さえ部によって重ね合わされた連続紙Ｗ２１と連続紙Ｗ２２の幅方向両端部、すなわち紙面の上下余白部を適宜な押さえ力で挟み、ニッピングローラーＨ２に送り出す。ニッピングローラーＨ２もニッピングローラーＨ１と同様に押さえ部によって重ね合わされた連続紙Ｗ２１と連続紙Ｗ２２の幅方向両端部を適宜な押さえ力で挟み、折り胴Ｊと咥胴Ｋとの間に送り出す。連続紙Ｗ２１と連続紙Ｗ２２は、回転駆動されている２組のローラーＨａとＨｂによって挟まれて送り出されるので、次の折り胴Ｊと鋸胴Ｉの間で行われる断裁などによる張力の変動が連続紙Ｗ２１及び連続紙Ｗ２２の走行経路の上流側に影響を及ぼすことがない。しかも、紙面の余白部を挟んでいるので、紙面のインクがローラーＨａとＨｂの押さえ部、あるいは連続紙Ｗ２１と連続紙Ｗ２２との間で転写して、紙面を汚すこともない。
【００９１】
ニッピングローラーＨ２から下方に送り出されてきた連続紙Ｗ２１と連続紙Ｗ２２は、折り胴Ｊと鋸胴Ｉの間に入る。両胴の回転にともなって、折り胴Ｊの表面から突き出ている針Ｊ２１が連続紙Ｗ２１の表面Ｆｗから裏面Ｂｗ、そして連続紙Ｗ２２の裏面Ｂｗから表面Ｆｗへ突き刺さりながら、紙押さえＩ１２が鋸刃受けＪ１との間に連続紙Ｗ２１と連続紙Ｗ２２を挟み込み、鋸刃Ｉ１１が鋸刃受けＪ１に食い込んで連続紙Ｗ２１と連続紙Ｗ２２を断裁する。
【００９２】
断裁する位置は、インクジェット印刷ユニット２２、２３の印刷タイミングと折り胴Ｊ、鋸胴Ｉの回転位相を合わせることによって、連続紙Ｗ２１の表面Ｆｗに印刷された紙面の第８ページとその後に印刷された第９ページとの間（裏面Ｂｗに印刷された紙面の第７ページとその後に印刷された第１０ページとの間）、同時に、連続紙Ｗ２２の表面Ｆｗに印刷された紙面の第５ページとその後に印刷された第１２ページとの間（裏面Ｂｗに印刷された紙面の第６ページとその後に印刷された第１１ページとの間（図８矢印ａが示す位置））、連続紙Ｗ２１の表面Ｆｗに印刷された紙面の第８ページとその後に印刷された第１３ページとの間（裏面Ｂｗに印刷された紙面の第７ページとその後に印刷された第１４ページとの間）、同時に、連続紙Ｗ２２の表面Ｆｗに印刷された紙面の第５ページとその後に印刷された第１６ページとの間（裏面Ｂｗに印刷された紙面の第６ページとその後に印刷された第１５ページとの間（図８矢印ｂが示す位置））、連続紙Ｗ２１の表面Ｆｗに印刷された紙面の第４ページとその後に印刷された第１３ページとの間（裏面Ｂｗに印刷された紙面の第３ページとその後に印刷された第１４ページとの間）、同時に、連続紙Ｗ２２の表面Ｆｗに印刷された紙面の第１ページとその後に印刷された第１６ページとの間（裏面Ｂｗに印刷された紙面の第２ページとその後に印刷された第１５ページとの間（図８矢印ｃが示す位置））及び連続紙Ｗ２１の表面Ｆｗに印刷された紙面の第４ページとその後に印刷された第９ページとの間（裏面Ｂｗに印刷された紙面の第３ページとその後に印刷された第１０ページとの間）、同時に、連続紙Ｗ２２の表面Ｆｗに印刷された紙面の第１ページとその後に印刷された第１２ページとの間（裏面Ｂｗに印刷された紙面の第２ページとその後に印刷された第１１ページとの間（図８矢印ｄが示す位置））を順次繰り返し断裁していく。
【００９３】
重ね合わされている連続紙Ｗ２１と連続紙Ｗ２２は、紙押さえＩ１２と鋸刃受けＪ１との間に挟み込まれているので、鋸刃Ｉ１１が鋸刃受けＪ１に食い込みながら連続紙Ｗ２１と連続紙Ｗ２２を断裁する際に、断裁位置がずれることがない。
【００９４】
また、断裁されてシートとなった紙は、その先行側端部に針Ｊ２１が刺さっているので、針Ｊ２１が折り胴Ｊ周面から引込んでシートから抜けるまでは折り胴Ｊ周面に保持される。
【００９５】
このようにして、１番目に連続紙Ｗ２１の表面Ｆｗに第９、８ページが、裏面Ｂｗに第１０、７ページの紙面が印刷されたシートと、連続紙Ｗ２２の表面Ｆｗに第１２、５ページが、裏面Ｂｗに第１１、６ページの紙面が印刷されたシートが、それぞれ裏面Ｂｗを向かい合わせて重ね合わされて作成され、２番目にも連続紙Ｗ２１の表面Ｆｗに第９、８ページが、裏面Ｂｗに第１０、７ページの紙面が印刷されたシートと連続紙Ｗ２２の表面Ｆｗに第１２、５ページが、裏面Ｂｗに第１１、６ページの紙面が印刷されたシートが、それぞれ裏面Ｂｗを向かい合わせて重ね合わされて作成され、３番目に連続紙Ｗ２１表面Ｆｗに第１３、４ページが、裏面Ｂｗに第１４、３ページの紙面が印刷されたシートと連続紙Ｗ２２の表面Ｆｗに第１６、１ページが、裏面Ｂｗに第１５、２ページの紙面が印刷されたシートが、それぞれ裏面Ｂｗを向かい合わせて重ね合わされて作成され、そして４番目にも連続紙Ｗ２１表面Ｆｗに第１３、４ページが、裏面Ｂｗに第１４、３ページの紙面が印刷されたシートと連続紙Ｗ２２の表面Ｆｗに第１６、１ページが、裏面Ｂｗに第１５、２ページの紙面が印刷されたシートが、それぞれ裏面Ｂｗを向かい合わせて重ね合わされ、それが繰り返される。
【００９６】
一方、連続紙Ｗ２１と連続紙Ｗ２２から断裁された１番目のシート（２枚）の先行端が、針Ｊ２１が刺さることによって牽引され折り胴Ｊの周囲２分の１に巻き取られて保持された状態で、１番目のシート（２枚）の下で折り胴Ｊの周面から引込んだ状態の差し刃Ｊ３１は、咥胴Ｋの咥板Ｋ１１とＫ１２の間と対向する位置に至っても、差し刃Ｊ３１を突き出さず、かつ、１番目のシート（２枚）の先行端を突き刺している針Ｊ２１も引込むことなく、すなわち、１番目のシート（２枚）は針Ｊ２１に牽引、保持されたまま、先行端部が、再び連続紙Ｗ２１と連続紙Ｗ２２の走行経路と重なる位置に向かう。
【００９７】
また、２番目のシート（２枚）となる連続紙Ｗ２１と連続紙Ｗ２２の先行端も、針Ｊ２１が刺さることによって針胴Ｊの周面に巻き取られていく。
【００９８】
１番目のシート（２枚）の先行端部を突き刺して保持し、牽引している針Ｊ２１は、折り胴Ｊの回転によって、ニッピングローラーＨ２から重ねて送られてくる連続紙Ｗ２１と連続紙Ｗ２２を更に突き刺しつつ、鋸刃装置Ｉ１が鋸刃受けＪ１との間に挟んだ連続紙Ｗ２１と連続紙Ｗ２２を断裁して２番目のシート（２枚）の後行端と、３番目のシートとなる連続紙Ｗ２１と連続紙Ｗ２２の先行端を分離する。そして、１番目のシート（２枚）に重ねて３番目のシートとなる連続紙Ｗ２１と連続紙Ｗ２２も針Ｊ２１によって牽引されて折り胴Ｊに巻き取られていく。
【００９９】
その間に、連続紙Ｗ２１と連続紙Ｗ２２から断裁された２番目のシート（２枚）は、針Ｊ２１に牽引されたまま折り胴Ｊの周囲２分の１に巻き取られて保持された状態で、折り胴Ｊとともに回転していく。そして、２番目のシート（２枚）下で折り胴Ｊの周面から引込んだ状態の差し刃Ｊ３１が、咥胴Ｋの咥板Ｋ１１とＫ１２の間と対向する位置に至ったとき、差し刃Ｊ３１は突き出さず、かつ、２番目のシート（２枚）の先行端を突き刺している針Ｊ２１も引き込むことなく、すなわち２番目のシート（２枚）も針２１に牽引されたまま、先行端部が再び連続紙Ｗ２１と連続紙Ｗ２２の走行経路と重なる位置に向かう。
【０１００】
２番目のシート（２枚）の先行端部を突き刺して保持し、牽引している針Ｊ２１は、折り胴Ｊの回転によって、ニッピングローラーＨ２から送られてくる連続紙Ｗ２１と連続紙Ｗ２２を更に突き刺しつつ、鋸刃装置Ｉ１が鋸刃受けＪ１との間に挟んだ連続紙Ｗ２１と連続紙Ｗ２２を断裁して３番目のシート（２枚）の後行端と、４番目のシートとなる連続紙Ｗ２１と連続紙Ｗ２２の先行端を分離する。そして、２番目のシート（２枚）の外側に重ねて４番目のシートとなる連続紙Ｗ２１と連続紙Ｗ２２も、針Ｊ２１によって牽引されて折り胴Ｊに巻き取られていく。
【０１０１】
続いて、重ね合わされた１番目のシート（２枚）と３番目のシート（２枚）の下で折り胴Ｊの周面から引込んだ状態の差し刃Ｊ３１が、咥胴Ｋの咥板Ｋ１１とＫ１２の間と対向する位置に至る直前に、差し刃装置Ｊ３は、差し刃Ｊ３１を突き出し始め、それと略同時に１番目のシート（２枚）と３番目のシート（２枚）の先行端を突き刺している針装置Ｊ２は、針Ｊ２１を引込める。
【０１０２】
前記動作の直後に、差し刃Ｊ３１が咥胴Ｋの咥板Ｋ１１とＫ１２の間と対向し、１番目のシート（２枚）と３番目のシート（２枚）を咥板Ｋ１１、Ｋ１２の間に差込む。差込まれた直後に咥装置Ｋ１は、咥板Ｋ１２を揺動軸Ｋ１２０を中心に揺動して咥板Ｋ１２の縁と咥板Ｋ１１の縁によって差込まれた１番目のシート（２枚）と３番目のシート（２枚）を咥えることによって、１番目のシート（２枚）と３番目のシート（２枚）の先行側半分を折り胴Ｊから咥胴Ｋに引き寄せ、かつ、１番目のシート（２枚）と３番目のシート（２枚）の後行側半分を咥胴Ｋに巻き取っていく。
【０１０３】
差し刃Ｊ３１は、１番目のシート（２枚）と３番目のシート（２枚）を咥板Ｋ１１、Ｋ１２の間に差込んだ後、折り胴Ｊから咥胴Ｋに引き寄せられる紙の移動を阻害しないよう、折り胴Ｊ内へ引込む。
【０１０４】
このようにして、１番目のシート（２枚）に３番目のシート（２枚）が重ね合わされ、４枚重ねとなったシートは、その中央を咥板Ｋ１１の縁と咥板Ｋ１２の縁によって咥えられ、咥えられた位置で折り目がつけられる。そして、咥板Ｋ１１の縁と咥板Ｋ１２の縁によって咥えられた４枚のシートは、咥胴Ｋと案内ベルトＬに挟まれていくことによって、重ねて折り目の付けられたシートの、折り胴Ｊ周面上で先行側であった半分と、折り目より後行側の半分が重ね合わされ、第１から第１６ページが印刷された新聞折り丁Ｐｆ２となる。（図９参照）
【０１０５】
新聞折り丁Ｐｆ２は、咥胴Ｋと案内ベルトＬによって羽根車Ｍの上部へと運ばれ、新聞折り丁Ｐｆ２が咥えられた位置がペーパーガイドＧ２に達する前に、咥装置Ｋ１は、咥板Ｋ１２をその縁が咥板Ｋ１１の縁から離れる方向に揺動して、新聞折り丁Ｐｆ２を咥板Ｋ１１と咥板Ｋ１２から解放し、ペーパーガイドＧ２と、ペーパーガイドＧ２に沿って延びる案内ベルトＬによって羽根車Ｍの羽根Ｍ１と羽根Ｍ１の間に投入される。
【０１０６】
羽根Ｍ１と羽根Ｍ１の間に投入されて収容された新聞折り丁Ｐｆ２は、羽根車Ｍが回転して収容された位置が下側となったところで、羽根Ｍ１と羽根Ｍ１の間から新聞折り丁Ｐｆ１をコンベヤーＮの上に排出する。
【０１０７】
他方、２番目のシート（２枚）の外側に重ねて４番目のシートとなる連続紙Ｗ２１と連続紙Ｗ２２も、針Ｊ２１によって牽引されて折り胴Ｊに巻き取られて、鋸刃装置Ｉ１が鋸刃受けＪ１との間に挟んだ連続紙Ｗ２１と連続紙Ｗ２２を断裁して４番目のシート（２枚）の後行端を連続紙Ｗ２１と連続紙Ｗ２２から分離する。そして、重ね合わされた２番目のシート（２枚）と４番目のシート（２枚）の下で折り胴Ｊの周面から引込んだ状態の差し刃Ｊ３１が、咥胴Ｋの咥板Ｋ１１とＫ１２の間と対向する位置に至る直前に、差し刃装置Ｊ３は、差し刃Ｊ３１を突き出し始め、それと略同時に２番目のシート（２枚）と４番目のシート（２枚）の先行側を突き刺している針装置Ｊ２は、針Ｊ２１を引込める。
【０１０８】
前記動作の直後に、差し刃Ｊ３１が咥胴Ｋの咥板Ｋ１１とＫ１２の間と対向し、２番目のシート（２枚）と４番目のシート（２枚）を咥板Ｋ１１、Ｋ１２の間に差込む。差込まれた直後に咥装置Ｋ１は、咥板Ｋ１２を揺動軸Ｋ１２０を中心に揺動して、咥板Ｋ１２の縁と咥板Ｋ１１の縁によって差込まれた２番目のシート（２枚）と４番目のシート（２枚）を咥えることによって、２番目のシート（２枚）と４番目のシート（２枚）の先行側半分を折り胴Ｊから咥胴Ｋに引き寄せ、そして、２番目のシート（２枚）の後行側半分と４番目のシート（２枚）を、咥胴Ｋに巻き取っていく。
【０１０９】
差し刃Ｊ３１は、２番目のシート（２枚）と４番目のシート（２枚）を咥板Ｋ１１、Ｋ１２の間に差込んだ後、折り胴Ｊから咥胴Ｋに引き寄せられる紙の移動を阻害しないよう、折り胴Ｊ内へ引込む。
【０１１０】
このようにして、折り胴Ｊ周面上で２番目のシート（２枚）に４番目のシート（２枚）が重ね合わされ、４枚重ねとなったシートは、その中央を咥板Ｋ１１の縁と咥板Ｋ１２の縁によって咥えられ、咥えられた位置で折り目がつけられる。そして、咥板Ｋ１１の縁と咥板Ｋ１２の縁によって咥えられた４枚のシートは、咥胴Ｋと案内ベルトＬに挟まれていくことによって、重ねて折り目の付けられたシートの折り胴Ｊ周面上で先行側であった半分と、折り目より後行側の半分が重ね合わされ、前述の１番目のシート（２枚）と３番目のシート（２枚）による新聞折り丁Ｐｆ２と同様に、第１ページから第１６ページが印刷された新聞折り丁Ｐｆ２となる。
【０１１１】
出来上がった２番目のシート（２枚）と４番目のシート（２枚）による新聞折り丁Ｐｆ２は、１番目のシート（２枚）と３番目のシート（２枚）による新聞折り丁Ｐｆ２と同じく、羽根車ＭによってコンベヤーＮの上に排出される。以上の動作が繰り返されることによって、連続して１６ページの新聞が製作される。
【０１１２】
図６に示した新聞製作装置２では、折りユニットにスリッター機構と、重ね合わせ機構としてのフォーマーを設けているが、これに限らず、印刷された後の連続紙の走行経路中に、平面図、図１０に示すスリッター機構Ｃと、２本のアングルバーＢ、Ｂを組合わせた重ね合わせ機構を設けて、１枚の連続紙Ｗ２を連続方向に切断して連続紙Ｗ２１と連続紙Ｗ２２とし、それらの両縁をそろえて重ね合わせ、折りユニットに導くように構成してもよい（図１０中の矢印は連続紙の走行方向を示す。）。なお、図１０の構成では、図１０に符号ｄ１で示した縁が連続紙Ｗ２１に印刷される新聞紙面の天側であり、符号ｄ２で示した縁が連続紙Ｗ２２に印刷される新聞紙面の天側である。
【０１１３】
以上、本発明の好適な実施形態について説明したが、本発明の技術的範囲は上記実施形態に記載の範囲には限定されない。上記実施形態には、多様な変更又は改良を加えることが可能である。
【０１１４】
例えば、第一及び第二の実施形態ともに、新聞製作において、折り胴Ｊが２回転に１度、各差し刃Ｊ２１が咥胴Ｋの咥板Ｋ１１とＫ１２の間と対向する位置に至るときに、各差し刃装置Ｊ２の差し刃Ｊ２１を突き出すとともに、略同じタイミングで該差し刃Ｊ２１の約９０度先行側の針装置Ｉ１の針Ｉ１１を引込める動作を行うことによって、回転する折り胴Ｊ周面に紙を保持し、保持した紙の上に更に紙を重ねて折り丁とする、所謂コレクトランを行うことによって、連続紙の枚数の２倍の枚数のシートからなる新聞を作成する過程を説明した。しかし、インクジェット印刷ユニットによれば、任意の複数種類の紙面を、任意の順に印刷することが可能であるため、上記各差し刃装置Ｊ２の差し刃Ｊ２１を突き出す動作及び針装置Ｉ１の針Ｉ１１を引込める動作を、折り胴ＪのＸ回転に１度行わせることによって、折り胴Ｊ周面に紙を巻き付けて保持し、重ね合わせることによって、連続紙の枚数のＸ倍の枚数のシートからなる新聞を作成することが可能である。
【０１１５】
なお、シートが折り胴周面に巻き付け保持されて、重ね合わせられている間は、回転する羽根車の羽根と羽根の間に新聞折り丁は投入されないので、コンベヤー上に新聞折り丁は不等間隔に並べられる。新聞折り丁をコンベヤー上に等間隔に並べるには、羽根車から排出される新聞折り丁に合わせてコンベヤーを間欠運転、あるいは不等速運転すればよい。また、コンベヤー上に不等間隔に並べられた新聞折り丁をそのまま後処理装置によって処理することも、もちろんよい。
【０１１６】
さらに、第一及び第二の実施形態の、折りユニット１６及び折りユニット２６は、咥胴Ｋの咥装置Ｋ１がシートを咥え、咥えられた位置でシートが折られる、所謂咥折り機構であるが、折り胴の下部に一対の折り込みローラーを設け、折り胴から突き出る折りブレードによってシートを折り込みローラー間に突き込んで折り目をつくる、所謂ブレード折り機構の折りユニットとしてもよい。
【０１１７】
またさらに、折りユニット１６及び折りユニット２６の折り胴Ｊ及び咥胴Ｋは、その周長が、連続紙を幅方向と平行に断裁する断裁長の２倍である所謂２倍胴であるが、その周長が断裁長の３倍、あるいはそれ以上の倍数であってもよい。
【０１１８】
なお、輪転印刷機による印刷によって、コレクトランを行うには、折り胴の周長は断裁長の奇数倍、一般的には３倍、あるいは５倍である必要があった。なぜならば、輪転印刷機では、断裁長の２倍の周長を持つ版胴に、異なるページを印刷する２種類の刷板を１枚ずつ装着して印刷を行うので、重ね合わせるべき異なるページが連続紙の走行方向に隣接して交互に印刷されるからである。従って、コレクトランによって折り胴上で２種類の異なるページを重ね合わせる場合、例えば、３倍周長の折り胴とすることによって、１番目のシートの上に、それと異なる種類のページが印刷された４番目のシートを重ねることができるのである。しかし、インクジェット印刷ユニットによれば、任意の複数種類の紙面を、任意の順に印刷することが可能であるため、折り胴の周長は断裁長の奇数倍に限定されることがないので、折りユニットの小型化が可能である。
【０１１９】
［第三の実施形態］
図１１には、第三の実施形態に係る新聞製作装置３を示す。新聞製作装置３は、新聞製作装置１のアウトフィードユニット１５の上部から折りユニット１６の間にシート作成装置Ｓ及びシート集積装置Ｔを加えて配置し、アウトフィードローラー１５１の後に設けられたガイドローラーＲから連続紙Ｗ１をシート作成装置Ｓに導く紙経路が設けられており、印刷された連続紙Ｗ１は、折りユニット１６を通る経路と、シート作成装置Ｓを通る経路を選択できる。連続紙Ｗ１を、シート作成装置Ｓに通すことによって、連続紙Ｗ１は断裁されてシートとすることができ、シート集積装置Ｔに集積される。シート作成装置及びシート集積装置は、種々の装置が既知となっているので、ここではシート作成装置Ｓ及びシート集積装置Ｔに関する説明は省略する。図１１に示す新聞製作装置３によれば、折りユニット１６によって新聞折り丁を作成できる他に、シート作成装置Ｓに連続紙Ｗ１を導くことによって、予め決められた断裁長のシート状印刷物を作成することが可能である。
【０１２０】
その様な変更又は改良を加えた形態も本発明の技術的範囲に含まれ得ることが、特許請求の範囲の記載から明らかである。
【符号の説明】
【０１２１】
１，２，３  新聞製作装置、１１，２１  給紙ユニット、１２，２２  インフィードユニット、１２１  インフィードローラー、１２２  押さえローラー、１３，１４，２３，２４  インクジェット印刷ユニット、１３０，１４０  インクジェットヘッドユニット、１５，２５  アウトフィードユニット、１５１  アウトフィードローラー、１５２  押さえローラー、１６，２６  折りユニット（回転折りユニット）、１６１  紙引きローラー、１６２  アングルバー、Ｂ  アングルバー（重ね合わせ機構）、Ｅ，Ｃ  スリッター機構、Ｅ１  スリッターナイフ、Ｅ２  受けローラー、Ｅ３  押さえコロ、Ｆ  フォーマー（重ね合わせ機構）、Ｆ１  フォーマーボード、Ｆ２  重ね合わせローラー、Ｈ１，Ｈ２  ニッピングローラー、Ｈａ，Ｈｂ  ローラー、Ｉ  鋸胴、Ｉ１  鋸刃装置、Ｉ１１  鋸刃、Ｉ１２  紙押さえ、Ｊ  折り胴、Ｊ１  鋸刃受け、Ｊ２  針装置（保持機構）、Ｊ２１  針、Ｊ３  差し刃装置（折り刃機構）、Ｊ３１  差し刃、Ｋ  咥胴、Ｋ１  咥装置、Ｋ１１，Ｋ１２  咥板、Ｋ１２０  揺動軸、Ｌ  案内ベルト、Ｌ１  下ベルト、Ｌ２  上ベルト、Ｍ  羽根車、Ｍ１  羽根、Ｎ  コンベヤー、Ｇ１，Ｇ２，Ｇ３  ペーパーガイド、Ｓ  シート作成装置、Ｔ  シート集積装置、Ｒ３１，Ｒ３２，Ｒ３３，Ｒ３４，Ｒ４１，Ｒ４２，Ｒ４３，Ｒ４４，Ｒ６１，Ｒ６２，Ｒ６３，Ｒ６４  ガイドローラー、Ｒ，ＧＲ，ＧＲＤ  ガイドローラー、Ｗ１，Ｗ２，Ｗ２１，Ｗ２２  連続紙、Ｆｗ  連続紙の表面、Ｂｗ  連続紙の裏面、Ｐｆ１，Ｐｆ２  新聞折り丁。
【図１】
2011157168.tif 000003
【図２】
2011157168.tif 000004
【図３Ａ】
2011157168.tif 000005
【図３Ｂ】
2011157168.tif 000006
【図４】
2011157168.tif 000007
【図５】
2011157168.tif 000008
【図６】
2011157168.tif 000009
【図７】
2011157168.tif 000010
【図８】
2011157168.tif 000011
【図９】
2011157168.tif 000012
【図１０】
2011157168.tif 000013
【図１１】
2011157168.tif 000014